(57)【要約】【課題】映像表示素子と発音体とが画素レベルで同一基板上に集積された音源一体型表示装置及びその作製方法を提供する。【解決手段】発音体として熱音響効果に基づく発音体を使用し、発音体の断熱層と映像表示素子の基板材料とを兼用させることにより、映像表示素子と熱音響効果に基づく発音体とが基板上に一体形成された音源一体型表示装置を作製する。基板は、高分子フィルムからなる柔軟性を有する基板であってよい。【選択図】図１
2014187528.tif 000002
【特許請求の範囲】
【請求項１】
映像表示素子と熱音響効果に基づく発音体とが基板上に一体形成された音源一体型表示装置において、前記基板が前記発音体の断熱層として機能することを特徴とする音源一体型表示装置。
【請求項２】
前記発音体が、断熱層として機能する前記基板と、前記基板の一方の面上に形成された放熱層と、前記基板の他方の面上に形成された駆動信号により発熱する薄膜電極、とからなる請求項１に記載の音源一体型表示装置。
【請求項３】
前記発音体の前記放熱層が前記映像表示素子の封止層として機能することを特徴とする請求項２に記載の音源一体型表示装置。
【請求項４】
前記基板が、柔軟性を有することを特徴とする請求項１から３のいずれか一項に記載の音源一体型表示装置。
【請求項５】
前記基板が、高分子フィルムであることを特徴とする請求項１から４のいずれか一項に記載の音源一体型表示装置。
【請求項６】
前記映像表示素子の各画素に前記発音体が形成されていることを特徴とする請求項１から５のいずれか一項に記載の音源一体型表示装置。
【請求項７】
映像表示素子と熱音響効果に基づく発音体とが基板上に一体形成された音源一体型表示装置の作製方法において、前記発音体の駆動信号により発熱する薄膜電極を、前記発音体の断熱層として機能する前記基板上に直接形成する工程を含むことを特徴とする音源一体型表示装置の作製方法。
【請求項８】
前記基板が、高分子フィルムであることを特徴とする請求項７に記載の音源一体型表示装置の作製方法。
【発明の詳細な説明】
【技術分野】
【０００１】
本発明は、映像と音声を提供する装置に関し、特に、映像表示素子と発音体とが画素レベルで同一基板上に集積された音源一体型表示装置及びその作製方法に関するものである。
【背景技術】
【０００２】
映像・情報表示用ディスプレイの大画面・高精細・スリム化に伴い、ディスプレイは、液晶、有機ＥＬ（Electroluminescence）素子などを用いて薄型化が進められている。近年、超薄型・軽量で携帯性・収納性に優れたディスプレイの実現を目指して、薄いプラスチックフィルム上に比較的低温で形成可能な有機半導体（有機薄膜トランジスターや有機ＥＬ）を用いた「フレキシブルディスプレイ」を始めとするシート型表示装置の研究が加速している。
【０００３】
テレビ用のディスプレイにするためには、映像のみならず音声の出力も不可欠であり、スピーカ（音源）の薄膜化・柔軟化・一体化も求められる。しかし従来の音源は機械的な振動部を有し、フレキシブルディスプレイのようなシート型表示装置に直接形成して使用した場合、ディスプレイ自体が薄膜・軽量のため振動が生じ、画面が揺れてしまうという問題があった。また構造上完全な薄膜化音源の作製は難しい。したがって、従来の機械的な振動部を有するスピーカは、表示画面上に画素と一体形成することが不可能であり、シート型の音源一体型表示装置の実現を困難にしていた。
【０００４】
機械的振動のない音源と表示部が一体形成できれば、その優れた構造を活かして大画面シート型テレビの実現可能性が大きく高まることになる。さらに画面内の映像表示と空間的に同期して音声が出せれば、これまで以上に臨場感ある全く新しい超薄型ディスプレイが可能になる。このような背景から、近年、機械的振動を伴わない音源の研究開発も同時に進められている。
【０００５】
これまでに、機械的振動を伴わない音源の一例として、熱の上昇・下降を空気の疎密波に変換する「熱誘起超音波放出素子」が報告されている（非特許文献１）。この「熱誘起超音波放出素子」は、熱音響効果に基づく発音体である。
【０００６】
具体化された熱音響効果に基づく発音体としては、単結晶シリコン基板を用いるものがある（特許文献１）。単結晶シリコン基板の表面を多孔質化して、多孔度が７５％以上のナノ結晶シリコン層を形成し、この熱物性の大きく異なるナノ結晶シリコン層を断熱層として、その上に金属膜からなる表面電極を設けて発熱体薄膜とする。表面電極に電流を流し、発生した熱の変化を効率的に素子表面の空気に伝え、空気の疎密変化を得ることで音波を発生している。しかし、単結晶シリコンは大面積での形成が困難で、非常に硬いため、扱う際に壊れやすいというデメリットを持つ。さらに単結晶シリコンは非常に高価であり、作製にも非常に高い温度（９００℃以上）が必要になる。
【０００７】
そこで上記のナノ結晶シリコン層に代わり、比較的低温で形成可能な柔軟性のある有機材料を用いた薄膜音波出力装置が提案されている（特許文献２）。この装置は、厚みが０．０１〜０．１ｍｍ程度のアルミニウムや熱伝導率の高いプラスチック薄膜等を基板とし、この薄膜基板上に熱伝導率の小さい有機材料から構成された有機薄膜層を形成して熱絶縁層とし、さらにこの有機薄膜層上に表面電極を形成して発熱体とし、熱音響効果に基づく発音体である素子を構成している。このような素子構造を有しているため、装置は非常に薄く、柔軟性に優れている。しかし、高分子フィルムを用いたフレキシブルディスプレイのようなシート型表示装置と、完全な一体化ができる構造とはなっていない。
【先行技術文献】
【特許文献】
【０００８】
【特許文献１】特開２００５−７３１９７号公報
【特許文献２】特開２０１２−５４７６２号公報
【非特許文献】
【０００９】
【非特許文献１】H. Shinoda, et al.,“Thermally induced ultrasonic emission from porous silicon”, Nature, vol.400, pp.853-855, 1999年
【発明の概要】
【発明が解決しようとする課題】
【００１０】
これまで、映像表示素子と発音体とが画素レベルで同一基板上に集積された音源一体型表示装置は実現されていない。また、これまで提案された熱音響効果に基づく発音体は、薄膜化が可能であるものの、フレキシブルディスプレイのようなシート型表示装置と完全な一体化できる構造を有しておらず、また、市販されている高分子フィルムの上に形成できる構造を有していないので、コスト的に高価なものにならざるを得なかった。
【００１１】
従って、上記のような問題点に鑑みてなされた本発明の目的は、低コストで容易に実現できる、映像表示素子と発音体とが同一基板上に一体形成された音源一体型表示装置の構造と作製方法を提供することにある。
【課題を解決するための手段】
【００１２】
上記課題を解決するために、本発明は、映像表示素子と熱音響効果に基づく発音体とが基板上に一体形成された音源一体型表示装置において、前記基板が発音体の断熱層として機能することを特徴とする。
【００１３】
また、前記発音体が、断熱層として機能する前記基板と、前記基板の一方の面上に形成された放熱層と、前記基板の他方の面上に形成された駆動信号により発熱する薄膜電極、とからなることが好ましい。
【００１４】
また、前記発音体の前記放熱層が前記映像表示素子の封止層として機能することが好ましい。
【００１５】
また、前記基板が、柔軟性を有することが好ましい。
【００１６】
また、前記基板が、高分子フィルムであることが好ましい。
【００１７】
また、前記映像表示素子の各画素に前記発音体が形成されていることが好ましい。
【００１８】
また、本発明は、映像表示素子と熱音響効果に基づく発音体とが基板上に一体形成された音源一体型表示装置の作製方法において、前記発音体の駆動信号により発熱する薄膜電極を、前記発音体の断熱層として機能する前記基板上に直接形成する工程を含むことを特徴とする。
【００１９】
また、前記基板が、高分子フィルムであることが好ましい。
【発明の効果】
【００２０】
本発明によれば、非常に簡単な構造で、機械的振動を伴わない薄膜音源が一体化された表示装置を容易に作製できる。また、既に市販されている高分子フィルムを基板兼断熱層として用いることができ、低コスト・低環境負荷での作製が可能となる。また、画素レベルで音源と表示部が一体形成された表示装置により、画面内の映像表示と空間的に同期して音声を出力させることができ、これまで以上に臨場感ある全く新しい超薄型ディスプレイが可能になる。さらに、基板として薄膜フィルムを用いれば、全工程をロール形成プロセスで作製可能であり、柔軟性に優れた音源一体型表示装置を実現できる。
【図面の簡単な説明】
【００２１】
【図１】本発明の一実施形態に係る、薄膜基板に形成された音源一体型画素構造を有する表示装置の一例である。
【図２】熱音響効果に基づく発音体の構成の一例である。
【図３】表示部と音源部が画素レベルで集積された画素構造の例である。
【図４】ボトムエミッション型表示部を有する音源一体型表示装置の構造及び作製方法の一例である。
【図５】トップエミッション型表示部を有する音源一体型表示装置の構造及び作製方法の一例である。
【図６】音源一体型表示装置の信号駆動部の一例である。
【発明を実施するための形態】
【００２２】
以下、図面を参照しながら、本発明の実施の形態について説明する。
【００２３】
図１は、本発明の一実施形態に係る、薄膜基板に形成された音源一体型画素構造を有する表示装置の一例を示す図である。図１（Ａ）は音源一体型表示装置の表示側（発光側）表面から見た平面図、図１（Ｂ）は音源一体型表示装置の断面構造図を示す。本装置は、薄膜基板１、画素駆動部２、表示部３、音源部４、放熱部５、封止部６により構成されている。ただし、図１においては、放熱部５と封止部６は、共通の材料で構成され、実質的に一つの部材として取り扱われている。また、画素駆動部２と表示部３はそれぞれ独立のものであって、実際には、積層配置或いは隣接配置されるが、図面上は区別せずに一体のものとして記載している。
【００２４】
図１において、画素駆動部２及び表示部３は、三原色（以下、Ｒ，Ｇ，Ｂで記述）を一つの組とする画素として表されているが、画素構造はこれに限定されるものではない。図１の音源一体型表示装置は、基板１の下面から発光する、いわゆるボトムエミッション型の表示装置の例である。
【００２５】
図１（Ｂ）から明らかなように、薄膜基板１に対して、画素駆動部２及び表示部３と、音源部４（表面電極４１）とは、互いに反対の表面に配置されている。表示部３の三原色（Ｒ，Ｇ，Ｂ）が配置されていない領域に対応して、音源部４（表面電極４１）が配置され、図１（Ａ）の平面図に示されるように、表示部３の三原色（Ｒ，Ｇ，Ｂ）と音源部４（音源素子として、Ａで記述）とが組み合わされて、音源一体型画素を構成している。本発明の音源一体型表示装置の一例は、この音源一体型画素を縦横に繰り返し配置して構成することができる。なお、図１では中間の繰り返しの構造は省略して描かれている。
【００２６】
図２に、音源部４である熱音響効果に基づく発音体４０の構成の一例と動作原理を示す。熱音響効果を用いた発音体４０は、表面電極４１と、断熱層４２と、薄膜放熱部４３と、電極４４とを備える。表面電極４１は、例えば金属薄膜であり、アルミニウム、金などの薄膜により形成することができる。断熱層４２は、表面電極４１で発生する熱に対する断熱材として作用する。本発明においては、断熱層４２が薄膜基板１となり、表面電極４１は、例えば蒸着やスパッタリングなどにより断熱層４２上に形成される。また、薄膜放熱部４３は、断熱層４２に対して表面電極４１と反対の面に形成される。電極４４は、表面電極４１に電気的に接続しており、断熱層４２の表面側又は断熱層４２を貫通して形成される。
【００２７】
電極４４に駆動信号（電流・電圧）が印加されると、表面電極４１においてジュール熱が発生して表面電極４１は高温になる。このとき、表面電極４１に接触した空気は熱エネルギーを受け取り膨張する。このため、印加する駆動信号により表面電極４１で発生するジュール熱を変化させて疎密波を発生させることにより、熱音響効果を用いた発音体４０は、いわゆるスピーカとして発音することが可能となる。
【００２８】
なお、熱音響効果を用いた発音体４０の駆動方法としては、熱音響効果を用いた発音体に一般的なスピーカと同じように交流の音響信号ａ（ｔ）を印加した場合、交流信号の正負符号に関わりなく信号の振幅値に応じた発熱が起きてしまうため、負の成分が正側に折り返された音波、すなわち｜ａ（ｔ）｜として出力されてしまう。この問題を解決するために、入力信号を正負どちらかの符号に制限する目的で、直流バイアス電流ｄに音響信号ａ（ｔ）を重畳した信号ｄ＋ａ（ｔ）＞０を用いて、熱音響効果を用いた発音体を駆動する方法がある。
【００２９】
また、音響信号をコンバータでデルタシグマ変調信号に変換し、パルス発生器で前記デルタシグマ変調信号に基づく駆動信号を発生させて、例えばPulse Width Modulation（ＰＷＭ）変調信号やPulse Density Modulation（ＰＤＭ）変調信号のパルス列として、発音体４０の電極に印加する方法もある。このとき、前記コンバータは、前記音響信号を１ビットのデルタシグマ変調信号や、さらに量子化雑音の影響を低減したDirect Stream Digital（ＤＳＤ）信号に変換することが好ましい。
【００３０】
これらの駆動方法は、いずれも本発明の音源一体型表示装置の音源部の駆動方法として使用できる。
【００３１】
図１と図２の対応関係は、音源一体型表示装置の薄膜基板１が発音体４０の断熱層４２に相当し、音源部４の符号で示される発熱電極が表面電極４１に相当し、放熱部５が薄膜放熱部４３に相当する。このように、音源部４は、発熱電極（表面電極４１）、薄膜基板１（断熱層４２）及び放熱部５（薄膜放熱部４３）から構成される。
【００３２】
次に、図１に戻って、音源一体型表示装置の動作について説明する。表示装置は外部からの画像信号入力により、画素駆動部２が動作し、表示部３を駆動することによって映像を表示する。音源部４は外部からの音声信号入力により、薄膜基板１の裏面上にある表面電極４１で発生したジュール熱の変化により、薄膜基板１（断熱層４２）の存在で、効率的に素子表面の空気温度が変化することによってその密度が変化し、音波として放出される。したがって、画素単位で、映像の表示領域と隣接した場所から音声が出力される。
【００３３】
次に図１の装置を構成する材料を示す。薄膜基板１の材料としては、例えば厚みが０．１０〜２００μｍ程度のポリイミドフィルムやポリプロピレンフィルム、ポリエチレンナフタレートフィルムやポリエチレンテレフタレートフィルム、ポリパラキシリレン系フィルム、オレフィン系フィルム、フッ素系フィルム、シリコーン系フィルム、アクリル系フィルムなど有機材料を用いた熱伝導率の低い多くの高分子フィルムが適用できる。ここで、熱伝導率が低いとは、発熱電極である金属の熱伝導率の１／１００以下、望ましくは１／１０００以下の熱伝導率をいう。例えば、１Ｗ／ｍ・Ｋ以下の熱伝導率を有する高分子フィルムが好適に用いられる。これは、本発明の薄膜基板１が、音源部４の断熱層４２を兼用するためである。
【００３４】
また、音源一体型表示装置の使用形態を考慮すると、薄膜基板１は、柔軟性を有する材料を選択することが望ましい。これにより、フレキシブルディスプレイを実現できる。なお、図１のように、ボトムエミッション型の表示装置である場合は、薄膜基板１は、透明な材料又は発光波長の透過性が高い材料を選択することが必要である。
【００３５】
表面電極４１には、厚みが１０〜５００ｎｍ程度のアルミニウム、タングステン、タンタル、クロム、モリブデン、白金、金、銀、銅など、そのほかの金属薄膜が使用できる。また、表面電極４１は、金属薄膜に限定されず、導電性を有する薄膜であれば良く、インジウム錫酸化物、インジウム亜鉛酸化物等の透明導電性膜、有機物および無機物の高分子からなる導電性薄膜により形成することができる。したがって、表面電極４１は、薄膜電極であるといえる。
【００３６】
画素駆動部２は、外部から電気信号や電源を供給する金属配線、及び画素を選択し表示部３を駆動するための薄膜トランジスタ（ＴＦＴ）などにより構成される。金属配線には、厚みが１０〜５００ｎｍ程度の薄膜金属、ＴＦＴの半導体には厚みが１０〜３００ｎｍ程度のシリコン系（アモルファスシリコン、ポリシリコン等）、酸化物系（ＩＧＺＯ［ＩｎＧａＺｎＯ］等）、有機系などの各半導体材料が用いられる。なお、ＴＦＴを有しないパッシブな素子構造としても良い。
【００３７】
さらに表示部３は、液晶や有機ＥＬなどの任意の表示素子により構成される。
【００３８】
放熱部５としては、薄膜基板１を境にして、発熱電極（表面電極４１）側とは反対側の面に熱伝導率の高いフィルムを形成できる。例えばグラファイト等の炭素系薄膜からなるシートや、熱伝導率の高い有機フィルム、さらに、素子との絶縁性が確保されれば金属薄膜又は金属箔を用いても良く、或いはこれらの積層膜などが利用できる。なお、放熱部５は、封止部６と兼用することができる。封止性を高めるためには、複数種類の材料からなるフィルムを積層した密封性の高いシートを用いても良い。放熱部５を構成する部材は、フィルム或いはシート状のものを接着しても良いが、流動性の高い材料で構成すれば、図１（Ｂ）において、表示部３の各画素（Ｒ，Ｇ，Ｂの組）の間を放熱部５で埋めることができ、放熱性が高まることにより、音源部４の素子性能が向上する。
【００３９】
封止部６は、上記のように放熱部５と兼用することができるが、放熱部５と別の部材として、ガスバリア性の高い部材を用い、放熱部５を覆うように形成しても良い。なお、ガスバリア性の高い部材としては、有機膜・無機膜・金属膜等を複数積層した部材を用いることができる。
【００４０】
図３に、表示部と音源部が画素レベルで集積された画素構造（平面配置）の例を示す。画素駆動部２及び表示部３によって形成される画素の三原色（Ｒ，Ｇ，Ｂ）に加えて、音を発生させる音源素子（Ａ）が集積されている。
【００４１】
図３（Ａ）は、画素の各三原色（Ｒ，Ｇ，Ｂ）と音源素子（Ａ）の領域をほぼ均等な大きさとして、４つを並列に並べた例である。
【００４２】
図３（Ｂ）は、画素の各三原色（Ｒ，Ｇ，Ｂ）を並列に配置し、音源素子（Ａ）を画素の三原色（Ｒ，Ｇ，Ｂ）に隣接させて、且つ、音源素子（Ａ）の長手方向が画素の長手方向と垂直になるように配置した例である。
【００４３】
図３（Ｃ）は、画素の各三原色（Ｒ，Ｇ，Ｂ）を並列に配置し、音源素子（Ａ）を画素の三原色（Ｒ，Ｇ，Ｂ）の周囲に隣接させて配置した例である。
【００４４】
なお、図３においては、画素駆動部２が図示されていないが、走査線と信号線により画素が選択されて、映像信号及び音声信号が供給されるように、それぞれに必要な配線が接続されて、電気信号による駆動を行う。有機ＥＬ素子を表示部３として用いる場合などは、さらに必要な電源線などを加えてよい。配線層は薄膜基板１の表面側に形成しても裏面側に形成してもよく、また、必要に応じて薄膜基板１を貫通して接続する等、画素駆動部２及び音源部４の構成及び配置に基づいて、適宜設計できる。
【００４５】
図３においては、各画素の三原色（Ｒ，Ｇ，Ｂ）の一組に、音源素子（Ａ）一つを対応させて配置しているが、音源素子（Ａ）の配置はこれらに限られるものではなく、画素の三原色（Ｒ，Ｇ，Ｂ）の複数組に音源素子（Ａ）一つを対応させて配置させたり、表示画面の複数個所に音源素子（Ａ）を分散配置したり、様々な配置設計が可能であることは言うまでもない。
【００４６】
図４に、音源一体型表示装置の構造及び作製方法の一例を示す。このディスプレイの構造は、透明な基板を通して表示を見る「ボトムエミッション型」である。
【００４７】
まず、最初の工程（図４（Ａ））として、透明な薄膜基板１を準備する。
【００４８】
次の工程（図４（Ｂ））として、薄膜基板１上に画素駆動部２を形成する。これらは主に従来の真空プロセスによる各種薄膜の成膜およびフォトリソグラフィーを用いた微細加工により形成される。また真空プロセスだけでなく、コーティング法などの塗布・印刷方法を用いて成膜や加工を行っても良い。この様にして、配線やＴＦＴを微細にマトリクスアレイ状に形成していく。なお画素駆動部２に、ＴＦＴを用いないパッシブ型の表示素子の場合には、電極の配線だけを作製すれば良い。次に表示部３を形成する。この部分には従来の液晶素子だけではなく、薄膜で高効率な有機ＥＬ素子を用いても良い。
【００４９】
次の工程（図４（Ｃ））として、基板の裏側（反対側）に音源部４に必要な発熱電極や配線などを形成する。この場合も真空成膜プロセスや塗布・印刷プロセスが使用できる。
【００５０】
最後の工程（図４（Ｄ））として、音源部４の放熱層として、発熱電極とは反対側の面に放熱部５を形成する。その後、画素駆動部２や表示部３の封止層として、ガスバリア性のあるフィルムなどを貼り合わせるなどして封止部６を形成する。なお、音源部４に用いる放熱部５と封止部６は兼用しても良い。上記の作製方法によって、音源一体型表示装置が完成する。
【００５１】
なお、図４に示した製造工程は、基板の裏側（反対側）に音源部４を形成した後に、基板表面に放熱部５及び封止部６を形成したが、図４（Ｃ）の工程と図４（Ｄ）の工程を反対にして、表示部３を形成後に直ちに放熱部５及び封止部６を形成し、最後に基板の裏側（反対側）に音源部４に必要な発熱電極や配線などを形成することもできる。
【００５２】
図５に、音源一体型表示装置の構造及び作製方法の別の例を示す。このディスプレイの構造は、素子を形成した基板表面から発光する「トップエミッション型」である。
【００５３】
前述したように、図４の表示装置は、薄膜基板１を通して光を外部へ取り出すボトムエミッション型であるため、使用する薄膜基板１は透明である必要があり、音源部４も表示部とは逆の面に作り込む必要がある。これに対し、表示部３から薄膜基板１を通さずに光を取り出すトップエミッション型の場合は、薄膜基板１は透明である必要はない。また、表示部３と音源部４とを基板の同じ表面に形成することができる。そこで、図５のような構造及び製造方法も実現できる。
【００５４】
まず、最初の工程（図５（Ａ））として、薄膜基板１を準備する。この薄膜基板１は透明である必要はなく、材料の選択肢が広くなる。
【００５５】
次の工程（図５（Ｂ））として、薄膜基板１上に画素駆動部２及び表示部３を形成する。この製造に際しては、図４で説明したとおり、各種の成膜方法や微細加工方法を用いることができる。
【００５６】
次の工程（図５（Ｃ））として、薄膜基板１の画素駆動部２及び表示部３を形成した面と同じ表面に、音源部４（発熱電極・薄膜電極）を形成する。なお、音源部４を駆動するための信号線等も形成する。
【００５７】
最後の工程（図５（Ｄ））として、画素駆動部２及び表示部３、音源部４を覆う封止部６を形成する。この時、発熱電極（表面電極４１）上の封止部６を一部除去して開孔を形成し、音波を放出できるようにする。また、薄膜基板１の裏面側（表面電極４１の反対側の面）に放熱部５を形成することによって、音源一体型表示装置が完成する。
【００５８】
なお、図５に示した製造工程は、薄膜基板１上に画素駆動部２及び表示部３を形成した後に、音源部４を形成したが、図５（Ｂ）の工程と図５（Ｃ）の工程を反対にして、薄膜基板１上に音源部４を形成した後に、画素駆動部２及び表示部３を形成することもできる。
【００５９】
図６に、音源一体型表示装置の信号駆動部の一例を示す。本発明の音源一体型表示装置は、画面内のあらゆる部分から音声を出すことができることから、映像と音声を画面上で空間的に同期させることが可能である。そこで図６の様に、従来の映像用の走査線及びその駆動回路７と、信号線及びその駆動回路８に加えて、音声用の信号線及び駆動回路９を用いることによって映像に同期した音声を出すことができる。すなわち、走査線の画素の選択に併せて音源部４も選択し、それに同期して必要な部分に駆動回路９からの信号線を通じて音声信号を音源部４に入力する。これを走査線ごとあるいは画像に併せて複数の走査線ごとに信号伝達を行い、映像に同期した音響出力を得ることができる。これにより、例えば、映像に表れた人物を表示する表示部３の近傍の音源部４から当該人物の声を出力する等、単なるステレオシステムを超えた、臨場感の高い映像と音声を提供できる。
【００６０】
以上、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００６１】
１：基板（薄膜基板）
２：画素駆動部
３：表示部
４：音源部
４０：発音体
４１：表面電極
４２：断熱層
４３：薄膜放熱部
４４：電極
５：放熱部
６：封止部
７：走査線駆動回路
８：表示部データ（映像信号）線駆動回路
９：音源部データ（音声信号）線駆動回路
【図１】
2014187528.tif 000003
【図２】
2014187528.tif 000004
【図３】
2014187528.tif 000005
【図４】
2014187528.tif 000006
【図５】
2014187528.tif 000007
【図６】
2014187528.tif 000008